(57)【特許請求の範囲】
【請求項１】
被検眼に照明光を照射する照明光源と、
被検眼の位置を検出するためのアライメント光を点滅照射するアライメント光源と、
前記照明光および前記アライメント光による前記被検眼の影像を受光する撮像素子と、
前記撮像素子が受光した影像を表示できる表示装置とを有し、
前記表示装置は、前記アライメント光が点灯しているときの前記被検眼の影像と、前記アライメント光が消灯しているときの前記被検眼の影像とのいずれかを選択して表示可能であることを特徴とする眼科装置。
【請求項２】
前記表示装置は、前記アライメント光が点灯しているときは、そのときの前記被検眼の影像を、前記アライメント光が消灯しているときは、前記アライメント光が消灯する前の前記被検眼の影像を表示、或いは、前記アライメント光が消灯しているときは、そのときの前記被検眼の影像を、前記アライメント光が点灯しているときは、前記アライメント光が点灯する前の前記被検眼の影像を表示することを特徴とする請求項１に記載の眼科装置。
【請求項３】
前記撮像素子は、前記被検眼の影像をフレーム毎に画像データに変換し、
前記表示装置は、フレーム毎に前記画像データを画像に変換して表示し、前記アライメント光が点灯しているフレームは、前記アライメント光が点灯する前のフレームの画像データを表示、または、前記アライメント光が消灯しているフレームは、前記アライメント光が消灯する前のフレームの画像データ表示可能であることを特徴とする特徴とする請求項２に記載の眼科装置。
【請求項４】
前記表示装置は、前記アライメント光が点灯しているフレームは、前記アライメント光が消灯していた直近のフレームの画像データを表示、または、前記アライメント光が消灯しているフレームは、前記アライメント光が点灯していた直近のフレームの画像データを表示可能であることを特徴とする特徴とする請求項３に記載の眼科装置。
【請求項５】
前記アライメント光源が消灯しているときの前記被検眼の影像と、前記アライメント光源が点灯しているときの前記被検眼の影像との差分によって、前記被検眼の位置を検出することを特徴とする請求項１から４のいずれかに記載の眼科装置。
【請求項６】
さらに、前記撮像素子が出力する画像データをフレーム単位で記憶できるビデオメモリと、
前記撮像素子が出力する画像データをそれぞれフレーム単位で記憶できる第１作業メモリおよび第２作業メモリとを有し、
前記被検眼の位置を検出しないときは、前記アライメント光源を消灯して、前記撮像素子が出力する画像データを前記ビデオメモリに記憶し、前記ビデオメモリの画像データを前記表示装置に表示し、
前記被検眼の位置を検出するときは、前記アライメント光源を消灯して、前記撮像素子が出力する画像データを前記第１作業メモリに記憶するフレームと、前記アライメント光源を点灯して、前記撮像素子が出力する画像データを前記第２作業メモリに記憶するフレームとを設け、
前記第１作業メモリに記憶した画像データと前記第２作業メモリに記憶した画像データとを基に前記被検眼の位置を算出し、
前記表示装置の表示において前記アライメント光源が点灯しているタイミングでは、直前の前記アライメント光源が消灯しているフレームの画像データを、前記ビデオメモリまたは前記第１作業メモリから読み出して、前記表示装置に表示することを特徴とする請求項４に記載の眼科装置。
【請求項７】
前記ビデオメモリは、それぞれ１フレーム分の画像データを記憶する２つの領域を有し、一方の領域の画像データを書き換えながら他方の領域から画像データを読み出すダブルバッファであることを特徴とする請求項６に記載の眼科装置。
【請求項８】
前記被検眼の位置を検出するときは、最初のフレームで、前記アライメント光源を消灯して、前記撮像素子が出力する画像データを前記第１作業メモリに記憶し、前記ビデオメモリの画像データを前記表示装置に表示し、２番目のフレームで、前記アライメント光源を点灯して、前記撮像素子が出力する画像データを前記第２作業メモリに記憶し、前記第１作業メモリの画像データを前記表示装置に表示し、３番目のフレームで、前記アライメント光源を消灯して、前記撮像素子が出力する画像データを前記ビデオメモリに記憶し、前記第１作業メモリの画像データを前記表示装置に表示することを特徴とする請求項７に記載の眼科装置。
【請求項９】
前記被検眼の位置の検出は、前記第１作業メモリに記憶した画像データと、前記第２作業メモリに記憶した画像データとの差分を算出して行うことを特徴とする請求項６から８のいずれかに記載の眼科装置。
【発明の詳細な説明】
【技術分野】
【０００１】
本発明は、眼科装置に関する。
【背景技術】
【０００２】
被検眼に対して眼科ユニットを位置決めして、被検眼の測定、診察または治療などを行う眼科装置では、被検眼を固定し、モニタ上で被検眼に対する相対位置を確認しながら眼科ユニットを移動させて被検眼に対して位置決めするアライメントを行う。眼科装置では、通常、被検眼の位置を正確に検出するために、専用のアライメント光を被検眼に照射し、その反射光の影像を解析する。
【０００３】
例えば、特許文献１に記載されている眼科装置では、アライメント光を常時照射し、アライメント光の反射光（輝点）の観測される位置によって、被検眼の位置を算出するようになっている。被検眼には、被検眼の全体像を得るために、照明光を照射する必要があり、特許文献１の構成では、アライメント光の輝点が、他の照明光のハイライトと重なって、その位置を検出できないことがある。また、特許文献１の構成では、被検眼の位置ずれが大きい場合には、アライメント光の輝点の光量が小さく、他の部分と判別することができないため、輝点が被検眼の瞳孔内の暗い部分にある場合にしか被検眼の位置を特定することができない。
【０００４】
また、特許文献２に記載されている眼科装置では、異なる位置に複数のアライメント光源を設けて被検眼の位置を検出可能な範囲を大きくし、複数のアライメント光源を順番に点滅させることにより、その光量の変化を検出することで輝点を容易に検出できるようにしている。この眼科装置では、アライメント光が点滅することで、表示装置の画面がちらつき、視認性に劣るので、操作感がよくない。
【特許文献１】特開２００４−２２２８４９号公報
【特許文献２】特開２０００−２３９１５号公報
【発明の開示】
【発明が解決しようとする課題】
【０００５】
前記問題点に鑑みて、被検眼の位置を確実に検出でき、表示画面がちらつかず、アライメントの操作性が高い眼科装置を提供することを課題とする。
【課題を解決するための手段】
【０００６】
前記課題を解決するために、本発明による眼科装置は、被検眼に照明光を照射する照明光源と、
被検眼の位置を検出するためのアライメント光を点滅照射するアライメント光源と、前記照明光および前記アライメント光による前記被検眼の影像を受光する撮像素子と、前記撮像素子が受光した影像を表示できる表示装置とを有し、前記表示装置は、前記アライメント光が点灯しているときの前記被検眼の影像と、前記アライメント光が消灯しているときの前記被検眼の影像とのいずれかを選択して表示可能であるものとする。
【０００７】
この構成によれば、表示装置は、アライメント光が点灯している影像またはアライメント光が消灯している影像を選択して表示するので、表示画面の明るさが変化しない。このため、表示にちらつきが発生せず、視認性が高く、操作しやすい。
【０００８】
また、本発明の眼科装置において、前記表示装置は、前記アライメント光が点灯しているときは、そのときの前記被検眼の影像を、前記アライメント光が消灯しているときは、前記アライメント光が消灯する前の前記被検眼の影像を表示、或いは、前記アライメント光が消灯しているときは、そのときの前記被検眼の影像を、前記アライメント光が点灯しているときは、前記アライメント光が点灯する前の前記被検眼の影像を表示してもよい。
【０００９】
この構成によれば、アライメント光が点灯している状態、または、アライメント光が点灯していない状態のいずれかの被検眼の影像だけを連続的に表示する。このため、ちらつきのない画像によって被検眼をリアルタイムに確認できる。
【００１０】
また、本発明の眼科装置において、前記撮像素子は、前記被検眼の影像をフレーム毎に画像データに変換し、前記表示装置は、フレーム毎に前記画像データを画像に変換して表示し、前記アライメント光が点灯しているフレームは、前記アライメント光が点灯する前のフレームの画像データを表示、または、前記アライメント光が消灯しているフレームは、前記アライメント光が消灯する前のフレームの画像データ表示可能であってもよい。
【００１１】
この構成によれば、フレーム毎に表示を更新して滑らかな動画を表示し、アライメント光の点灯状態が画面にちらつきを生じさせるフレームの画像をその前のフレームの画像、好ましくは、アライメント光の状態が選択された状態であるときの直近の画像に置き換えることで、画面のちらつきをなくし、画像の動きが不自然にならない。
【００１２】
また、本発明の眼科装置において、前記アライメント光源が消灯しているときの前記被検眼の影像と、前記アライメント光源が点灯しているときの前記被検眼の影像との差分によって、前記被検眼の位置を検出してもよい。
【００１３】
この構成によれば、アライメント光の反射像だけを抽出できるので、被検眼の位置を正確に算出できる。
【００１４】
また、本発明の眼科装置は、さらに、前記撮像素子が出力する画像データをフレーム単位で記憶できるビデオメモリと、前記撮像素子が出力する画像データをそれぞれフレーム単位で記憶できる第１作業メモリおよび第２作業メモリとを有し、前記被検眼の位置を検出しないときは、前記アライメント光源を消灯して、前記撮像素子が出力する画像データを前記ビデオメモリに記憶し、前記ビデオメモリの画像データを前記表示装置に表示し、前記被検眼の位置を検出するときは、前記アライメント光源を消灯して、前記撮像素子が出力する画像データを前記第１作業メモリに記憶するフレームと、前記アライメント光源を点灯して、前記撮像素子が出力する画像データを前記第２作業メモリに記憶するフレームとを設け、前記第１作業メモリに記憶した画像データと前記第２作業メモリに記憶した画像データとを基に前記被検眼の位置を算出し、前記表示装置の表示において前記アライメント光源が点灯しているタイミングでは、直前の前記アライメント光源が消灯しているフレームの画像データを、前記ビデオメモリまたは前記第１作業メモリから読み出して、前記表示装置に表示するものとする。
【００１５】
この構成によれば、表示装置は、アライメント光源が点灯しているフレームだけ、直前のアライメント光源が消灯しているフレームの画像に置き換えて表示するので、表示画面の明るさが変化しない。また、アライメント光源が点灯するのは一瞬であるため、全体的な画像の動きにスムーズさを失わない。
【００１６】
また、本発明の眼科装置において、前記ビデオメモリは、それぞれ１フレーム分の画像データを記憶する２つの領域を有し、一方の領域の画像データを書き換えながら他方の領域から画像データを読み出すダブルバッファであってもよい。
【００１７】
この構成によれば、表示装置に高速な表示ができ、リアルタイムにスムーズな画像を表示できる。
【００１８】
また、本発明の眼科装置は、前記被検眼の位置を検出するときは、最初のフレームで、前記アライメント光源を消灯して、前記撮像素子が出力する画像データを前記第１作業メモリに記憶し、前記ビデオメモリの画像データを前記表示装置に表示し、２番目のフレームで、前記アライメント光源を点灯して、前記撮像素子が出力する画像データを前記第２作業メモリに記憶し、前記第１作業メモリの画像データを前記表示装置に表示し、３番目のフレームで、前記アライメント光源を消灯して、前記撮像素子が出力する画像データを前記ビデオメモリに記憶し、前記第１作業メモリの画像データを前記表示装置に表示してもよい。
【００１９】
この構成によれば、フレーム毎に、ビデオメモリ、第１作業メモリおよび第２作業メモリのいずれか１つにだけ画像データを書き込み、ビデオメモリ、第１作業メモリおよび第２作業メモリのいずれか１つから画像データを読み出して表示装置に表示するので、画像信号を処理する回路（ＩＣ）が１入力１出力の簡素なものでよい。
【００２０】
また、本発明の眼科装置において、前記被検眼の位置の検出は、前記第１作業メモリに記憶した画像データと、前記第２作業メモリに記憶した画像データとの差分を算出して行ってもよい。
【００２１】
この構成によれば、アライメント光の反射像だけを抽出できるので、被検眼の位置を正確に算出できる。
【発明の効果】
【００２２】
本発明によれば、被検眼の位置を算出するために、アライメント光を消灯した画像を第１作業メモリに記憶し、アライメント光を点灯した画像を第２作業メモリに記憶するので、これら２つの画像データから被検眼の正確な位置を算出できる。また、表示装置に被検眼の画像をリアルタイム表示しながら、アライメント光を点灯したときだけ、その直前の画像である第１作業メモリの画像データを表示するので、画像の明るさが変化しない。また、この画像の置き換えによる画像の静止は一瞬であり、全体としてはスムーズな動画を表示するので、オペレータの体感レスポンスを低下させず、操作性が高い。
【発明を実施するための最良の形態】
【００２３】
これより、本発明の実施形態について、図面を参照しながら説明する。
図１に、本発明による眼科装置の第１実施形態である検眼装置１を示す。検眼装置１は、装置本体２に、被検眼を光学的に測定・診断する眼科ユニット３と、被検眼を固定するために被検者が顔を当接させる顔当枠４とが支持されおり、本体２には、眼科ユニット３を移動させるためのジョイスティック５と、眼科ユニット３の撮像素子が撮影した被検眼の画像を映し出すモニタ（表示装置）６とが設けられている。
【００２４】
図２に、眼科ユニット３内部の光学系の構成を示す。眼科ユニット３は、被検眼７の前眼部の画像を得るために、被検眼７の前眼部に照明光を投光する複数の照明光源８、および、被検眼７の画像を撮影する前眼撮像素子９と、被検眼７の眼底の画像を得るために、被検眼７に眼底検査光を投光する眼底検査光源１０、および、被検眼７の眼底の画像を撮影する眼底撮像素子１１とを有する。
【００２５】
さらに、眼科ユニット３は、被検眼７の位置を検出するために、被検眼７の中央部にアライメント光をスポット照射するアライメント光源１２と、被験者が固視するための指標を背面から照明する視標光源１３と、被検眼７に斜めからＺ軸アライメント光を照射するＺ軸アライメント光源１４と、被検眼７によるＺ軸アライメント光の反射像を撮影するＺ軸撮像素子１５とを有する。
【００２６】
検眼装置１では、眼科ユニット３を左右（Ｘ方向）、上下（Ｙ方向）および前後（Ｚ方向）に移動させて、顔当枠４で固定した被検眼７に対して位置決めするアライメントを行う。先ず、Ｘ−Ｙ方向にアライメントを行うとき、検眼装置１は、被検眼７の前眼部の影像を、前眼撮像素子９で毎秒３０フレーム撮影して、モニタ６にリアルタイム表示する。そして、アライメント光源１２を瞬間的に点灯し、前眼撮像素子９が撮影した画像を解析して、アライメント光による被検眼７上の輝点の位置を算出する。算出されたアライメント光の位置情報から、レチクルマークの中心位置に一致させるように眼科ユニット３を移動させる。
【００２７】
図３に、Ｘ−Ｙ方向のアライメントの際の、モニタ６の表示に係る内部構成を示す。前眼撮像素子９は、画像を電気信号からなる画像データに変換する。前眼撮像素子９が出力する画像データ信号は、ビデオコントローラ１６で処理され、メモリ（ＲＡＭ）１７に記憶される。同時に、ビデオコントローラ１６は、メモリ１７に記憶した画像データを読み出して、モニタ６に表示させる。
【００２８】
メモリ１７は、モニタ６の表示のために、それぞれ１フレームの画像データを記憶できる第１ビデオメモリ１８および第２ビデオメモリ１９と、アライメント光の輝点位置を算出するために、アライメント光源１２の消灯時のデータを記憶する第１作業メモリ２０、および、アライメント光源１２の点灯時のデータを記憶する第２作業メモリ２１とを、それぞれ、専用のメモリ領域として確保している。第１ビデオメモリ１８および第２ビデオメモリ１９は、一方を書き換えながら他方から読み出すダブルバッファを構成する。
【００２９】
ビデオコントローラ１６およびアライメント光源１２は、その動作をＣＰＵ２２によって制御される。また、ＣＰＵ２２は、第１作業メモリ２０の画像データと第２作業メモリ２１の画像データとの差分を算出することで照明光による前眼部の画像を除去し、アライメント光による輝点だけを抽出して、それらの座標を算出する。
【００３０】
ビデオコントローラ１６は、原則的に、撮像素子９の画像データを処理して、第１ビデオメモリ１８または第２ビデオメモリ１９に書き込むが、アライメント光の輝点位置を算出するために、第１作業メモリ２０および第２作業メモリ２１にも画像データを書き込む必要がある。市販のビデオコントローラは、通常２つのメモリに同じデータを書き込む機能を備えていない。そこで、本実施形態では、ＣＰＵ２２が、ビデオコントローラ１６が画像データを書き込むメモリ１７のアドレスの設定を一時的に変更することで、ビデオコントローラ１６に、ビデオメモリ１８，１９ではなく、第１作業メモリ２０または第２作業メモリ２１に画像データを書き込ませるようになっている。
【００３１】
図４に、検眼装置１における、モニタ６への前眼部の画像表示の処理の流れを示す。先ず、ＣＰＵ２２は、ステップＳ１において、被検眼７の位置を検出する必要があるか否かを確認する。被検眼７の位置を検出する場合、先ず、ステップＳ２で、最初のフレームを、アライメント光源１２を消灯したまま、前眼撮像素子９が撮影した、図５に例示するような被検眼７の前眼部の画像データを、第１作業メモリ２０に記憶させる。このとき、モニタ６には、直前のフレームでビデオメモリ１８または１９に記憶した画像データを表示する。図示するように、被検眼７の画像には、照明光源８による４つの輝点が存在する。
【００３２】
次のフレームは、ステップＳ３で、アライメント光源１２を点灯し、前眼撮像素子９が撮影した、図６に例示するような画像データを第２作業メモリ２１に記憶し、モニタ６には、ステップＳ２で記憶した第１作業メモリ２０の画像データを表示する。図６に示すように、アライメント光源１２を点灯したことにより、画像データには、照明光源８による４つの輝点に加えて、中央に、アライメント光による輝点が存在する。
【００３３】
さらに次のフレームは、ステップＳ４で、アライメント光源１２を消灯して撮影し、図５のような画像データを生成してビデオメモリ１８または１９に記憶し、モニタ６には、再度、ステップＳ２で記憶した第１作業メモリ２０の画像データを表示する。
【００３４】
ステップＳ４の処理が終了すると、ステップＳ５で第１作業メモリ２０の画像データ（図５）と第２作業メモリ２１の画像データ（図６）との差分を求め、アライメント光の輝点位置を算出する演算を開始する。この演算には、約１００ミリ秒（３フレーム相当）を要するが、並行してステップＳ６以下の処理が行われる。
【００３５】
ステップＳ６では、アライメント光源１２を消灯して、撮影した図５と同様の画像データをビデオメモリ１８，１９の内、ステップＳ４で書き換えなかった方に記憶し、モニタ６には、ステップＳ４で記憶したビデオメモリ１８または１９の画像データを表示する。このステップＳ６の処理は、ビデオメモリ１８，１９をダブルバッファとして使用し、モニタ６に表示を行う通常の表示処理である。
【００３６】
そして、ステップＳ７で、モニタ６への表示を終了するか否かを判定する。つまり、検眼装置１を他のモードに移行したり電源をオフする操作が行われていなければ、ステップＳ１に戻って同じ処理を繰り返す。
【００３７】
ステップＳ１の被検眼７の位置検出の要否は、アライメント処理中であるか否かだけでは判断することはできない。すなわち、ステップＳ５で開始した先のアライメント光の座標算出処理が完了していない数フレームの間は、次の位置検出を開始することできない。また、それより長い所定間隔で、被検眼７の位置検出を開始するようにしてもよい。
【００３８】
本実施形態では、アライメント光源１２を点灯しているときの画像を表示すべきタイミングのステップＳ４において、第１作業メモリ２０に記憶している１フレーム前のアライメント光源１２の消灯時の画像データを読み出してモニタ６に表示する。このため、モニタ６が連続表示する画像の明るさに変化がなく、オペレータに画面のちらつきを感じさせない。また、前のフレームの画像を表示するのは１フレームだけであるので、全体としては、モニタ６の表示が、眼科ユニット３の動きにあわせてスムーズ、且つ、リアルタイムに変化する。
【００３９】
また、アライメント光源１２を消灯したときの画像データと、アライメント光源１２を点灯したときの画像データとの差分によってアライメント光による輝点だけを抽出するので、アライメント光の検出が確実で、精度の高い座標の割り出しが可能である。
【００４０】
さらに、図７に、本実施形態の画像データの流れをわかりやすくするために、図３の構成を概念的に示す。この図では、ビデオコントローラ１６は、前眼撮像素子９の出力信号を処理してメモリ１８，１９，２０，２１に記憶させる入力処理部１６ａと、メモリ１８，１９，２０，２１から画像データを読み出してモニタ６に表示させる出力処理部１６ｂとに分けて示している。
【００４１】
本実施形態では、ＣＰＵ２２は、ビデオコントローラ入力処理部１６ａが画像データを書き込むためにアクセスするメモリ１７のアドレス、および、ビデオコントローラ出力処理部１６ｂが画像データを読み出すためにアクセスするメモリ１７のアドレスを指定するセレクタの役目を果たす。つまり、ビデオコントローラ入力処理部１６ａおよびビデオコントローラ出力処理部１６ｂは、それぞれ、同時にメモリ１８，１９，２０，２１の複数にアクセスする必要がない。このため、市販の１入力１出力の汎用ビデオコントロールチップが使用できる。
【００４２】
また、ビデオコントローラ入力処理部１６ａは、全てのフレームでビデオメモリ１８，１９に画像データを書き込み、必要に応じて、ビデオメモリ１８，１９に画像データを書き込むと同時に、作業メモリ２０，２１にも同じ画像データを書き込み可能なものとしてもよい。その場合、図４のステップＳ３では、ビデオコントローラ出力処理部１６ｂは、ビデオメモリ１８，１９から画像データを読み出してモニタ６に表示してもよい。
【００４３】
図８に、本発明の第２実施形態の検眼装置１のモニタ６への前眼部の画像表示の処理の流れを示す。本実施形態の検眼装置１の機械的構成は、第１実施形態と同一であり、その処理が部分的に異なるだけである。よって、第１実施形態と同じ構成要素および同じ処理には同じ符号を用い、重複する説明を省略する。
【００４４】
本実施形態では、被検眼７の位置を検出する場合、先ず、ステップＳ１２で、アライメント光源１２を点灯し、撮影した画像データを第２作業メモリ２１に記憶し、モニタ６には、その直前のフレームでビデオメモリ１８または１９に記憶した画像データを表示する。
【００４５】
次のフレームでは、ステップＳ１３で、アライメント光源１２を消灯し、撮影した画像データを第１作業メモリ２０に記憶し、モニタ６には、ビデオメモリ１８または１９に記憶したステップＳ１２で表示したものと同じ画像データを再度表示する。
【００４６】
本実施形態でも、第１実施形態と同様に、モニタ６の画面がちらつかず、動作のスムーズなリアルタイム表示が可能であり、オペレータに対して良好な操作性を提供できる。
【００４７】
以上の実施形態では、ダブルバッファタイプのビデオメモリを使用しているので、スムーズな画像の表示が可能であるが、１フレーム分の画像データを記憶するシングルバッファタイプのビデオメモリを使用してもよい。
【００４８】
また、ビデオメモリ１８，１９のいずれかと、第１作業メモリ２０および第２作業メモリ２１のいずれかに、同時に画像データを書き込み可能な場合は、アライメント光源１２が消灯しているフレームのみ、ビデオメモリ１８または１９の画像データを書き換え、モニタ６は、ビデオメモリ１８，１９の画像データを交互に表示し続けるようにしてもよい。この場合、モニタ６は、アライメント光源１２が点灯しているフレームは、２フレーム前の画像を表示することになる。さらに、複数フレームに亘ってアライメント光源１２を点灯するようにすれば、モニタ６は、アライメント光源１２が点灯している間、アライメント光源１２が点灯する直前の２つのフレームの画像を交互に表示することになる。
【図面の簡単な説明】
【００４９】
【図１】本発明の第１実施形態の検眼装置の斜視図。
【図２】図１の検眼装置の光学系の構成図。
【図３】図１の検眼装置の前眼部表示に係る構成図。
【図４】図１の検眼装置の前眼部表示の流れ図。
【図５】アライメント光源消灯時の画像の例。
【図６】アライメント光源点灯時の画像の例。
【図７】図１の検眼装置の前眼部表示に係る概念的構成図。
【図８】本発明の第２実施形態の検眼装置の前眼部表示の流れ図。
【符号の説明】
【００５０】
１  検眼装置（眼科装置）
３  眼科ユニット
６  モニタ（表示装置）
７  被検眼
８  照明光源
９  前眼撮像素子
１２  アライメント光源
１６  ビデオコントローラ
１８  第１ビデオメモリ
１９  第２ビデオメモリ
２０  第１作業メモリ
２１  第２作業メモリ
２２  ＣＰＵ
【図１】
0005107132.tif 000002
【図２】
0005107132.tif 000003
【図３】
0005107132.tif 000004
【図４】
0005107132.tif 000005
【図５】
0005107132.tif 000006
【図６】
0005107132.tif 000007
【図７】
0005107132.tif 000008
【図８】
0005107132.tif 000009